【事件の表示】
特許第２８３４８３４号　「露光装置における原版開閉装置」の請求項１に係る特許に対する特許異議の申立てについて、次のとおり決定する。　
【結　論】
訂正を認める。
特許第２８３４８３４号の特許を維持する。
【理　由】
（１）手続の経緯
　特許第２８３４８３４号の請求項１に係る発明は、平成２年３月１６日に特許出願され、平成１０年１０月２日にその特許の設定登録がされ、その後異議申立人株式会社東芝により特許異議の申立がなされ、取消理由通知がなされ、その指定期間内である平成１１年１１月１日に訂正請求がされた後、訂正拒絶理由が通知され、訂正拒絶理由に対して指定期間内である平成１１年１１月２９日に手続補正書が提出されたものである。
（２）訂正の適否についての判断
　（ア）訂正明細書の請求項１に係る発明
　訂正明細書の請求項１に係る発明は、その特許請求の範囲の請求項１に記載された次の事項により特定されるとおりのものである。
　「感光材料を塗布してなる基材の両面に,絵柄のかかれた原版を密着させその上に光を照射することにより基材に絵柄を露光する露光装置において,
　第一の原版を保持した第一枠と,
　該第一枠を基材に対して直角方向に移動可能に保持する第一スライド機構であって,平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第一スライド機構と,
　第二の原版を保持した第二枠と,
　前記第一枠に保持され,前記第二枠を基材に対して直角方向に移動可能に保持する第二スライド機構であって,平行に配置された２本のレールとそれぞれに係合してスライドする２本のレール従動体を有し,一方のレールとレ一ル従動体は山型と谷型の組み合わせであり，他方のレールとレール従動体は平坦型同志の組み合わせである第二スライド機構を備え,
　前記第一枠と第二枠を同時に,反対方向に移動させてそれぞれに保持している原版を基材にほぼ密着する位置に移動させる構成としたことを特徴とする露光装置における原版開閉装置。」
　（イ）訂正の内容
　訂正事項１
　明細書の特許請求の範囲の請求項１に係る記載
　「感光材料を塗布してなる基材の両面に,絵柄のかかれた原版を密着させその上に光を照射することにより基材に絵柄を露光する露光装置において,
　第一の原版を保持した第一枠と,
　該第一枠を基材に対して直角方向に移動可能に保持する第一スライド機構と,
　第二の原版を保持した第二枠と,
　前記第一枠に保持され,前記第二枠を基材に対して直角方向に移動可能に保持する第二スライド機構を備えたことを特徴とする露光装置における原版開閉装置。」を
　「感光材料を塗布してなる基材の両面に,絵柄のかかれた原版を密着させその上に光を照射することにより基材に絵柄を露光する露光装置において,
　第一の原版を保持した第一枠と,
　該第一枠を基材に対して直角方向に移動可能に保持する第一スライド機構であって,平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第一スライド機構と,
　第二の原版を保持した第二枠と,
　前記第一枠に保持され,前記第二枠を基材に対して直角方向に移動可能に保持する第二スライド機構であって,平行に配置された２本のレールとそれぞれに係合してスライドする２本のレール従動体を有し,一方のレールとレ一ル従動体は山型と谷型の組み合わせであり，他方のレールとレール従動体は平坦型同志の組み合わせである第二スライド機構を備え,
　前記第一枠と第二枠を同時に,反対方向に移動させてそれぞれに保持している原版を基材にほぼ密着する位置に移動させる構成としたことを特徴とする露光装置における原版開閉装置。」に訂正する。
　訂正事項２
　明細書第４頁第９〜２０行（特許公報第３欄第３３〜４４行）「すなわち,本発明は・・・を要旨とする。」を、
「すなわち,本発明は,感光材料を塗布してなる基材の両面に,絵柄のかかれた原版を密着させその上に光を照射することにより基材に絵柄を露光する露光装置において,
　第一の原版を保持した第一枠と,
　該第一枠を基材に対して直角方向に移動可能に保持する第一スライド機構であって,平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第一スライド機構と,
　第二の原版を保持した第二枠と,
　前記第一枠に保持され,前記第二枠を基材に対して直角方向に移動可能に保持する第二スライド機構であって,平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第二スライド機構を備え,
　前記第一枠と第二枠を同時に,反対方向に移動させてそれぞれに保持している原版を基材にほぼ密着する位置に移動させる構成としたことを特徴とする露光装置における原版開閉装置を要旨とする。」に訂正する。
　訂正事項３　
　明細書第５頁第８〜９行（特許公報第４欄第２〜３行）「減少させることができる。」の後ろに、次の文を加入する。
「また,第一スライド機構及び第二スライド機構の各々で,一方に平坦型のレールとレ一ル従動体の組み合わせを利用しているため,熱膨張等に対する逃げがあり,位置精度向上に効果がある。更に,第一枠と第二枠を同時に,反対方向に移動させる構成としたことで開閉動作時間を短縮できる。」
　訂正事項４
　明細書第６頁第２０行（特許公報第４欄第３２行）「平坦な型」を「平坦型」に訂正する。
　訂正事項５
　明細書第７頁第１行（特許公報第４欄第３２行）「平型」を「平坦型」に訂正する。
　（ウ）訂正の目的の適否、新規事項の有無及び　拡張・変更の存否
　訂正事項１に係る訂正のうち、特許請求の範囲において、第一スライド機構に関して加入した「平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第一スライド機構」という事項は、明細書の第６頁第１０行〜第７頁第５行（特許公報第４欄第２３〜３７行）の記載に基づくものであり、第一スライド機構を特定の構成に減縮したものである。
　また、訂正事項１に係る訂正のうち、特許請求の範囲において、第二スライド機構に関して加入した「平行に配置された２本のレールとそれぞれに係合してスライドする２本のレール従動体を有し,一方のレールとレ一ル従動体は山型と谷型の組み合わせであり,他方のレールとレ一ル従動体は平坦型同志の組み合わせである第二スライド機構」という事項は、明細書の第７頁第１３行〜第８頁第１行（特許公報第４欄第４４〜５０行）の記載に基づくものであり、第二スライド機構を特定の構成に減縮したものである。
　更に、訂正事項１に係る訂正のうち、特許請求の範囲において、「前記第一枠と第二枠を同時に,反対方向に移動させてそれぞれに保持している原版を基材にほぼ密着する位置に移動させる構成とした」という事項は、明細書の第８頁第１６行〜第９頁第８行（特許公報第５欄第１４〜２６行）の記載に基づくものであり、第一枠と第二枠を移動させる装置の構成を特定の動作を行うものに減縮したものである。なお、特許公報第５欄第２０行に「これと平行して」と記載されているが、これは誤植であって、明細書では、第９頁の第２行に「これと並行して」と記載しており、第一枠と第二枠を同時に移動させる点を示している。
　したがって、訂正事項１に係る訂正は、特許請求の範囲の減縮に該当し、実質的に特許請求の範囲を拡張又は変更するものではないし、新規事項の追加にも該当しない。　
　訂正事項２に係る訂正は、特許請求の範囲の訂正に伴い、特許請求の範囲の記載と、発明の詳細な説明の記載との整合を図るための、明瞭でない記載の釈明に該当し、実質的に特許請求の範囲を拡張又は変更するものではないし、新規事項の追加にも該当しない。　
　訂正事項３に係る訂正のうち、明細書第５頁第９行（特許公報第４欄第２〜３行）の「減少させることができる。」の後に加えた事項のうち、「また,第一スライド機構及び第二スライド機構の各々で,一方に平坦型のレールとレ一ル従動体の組み合わせ利用しているため,熱膨張等に対する逃げがあり,位置精度向上に効果がある。」という記載は、明細書第７頁第４〜５行（特許公報第４欄第３５〜３７行）の記載に基づくものである。　
　その他の、「更に,第一枠と第二枠を同時に,反対方向に移動させる構成としたことで開閉動作時間を短縮できる。」という記載は、「前記第一枠と第二枠を同時に,反対方向に移動させてそれぞれに保持している原版を基材にほぼ密着する位置に移動させる構成」によって当然に得られる作用効果である。
　したがって、訂正事項３に係る訂正は、明瞭でない記載の釈明に該当し、実質的に特許請求の範囲を拡張又は変更するものではないし、新規事項の追加にも該当しない。　
　訂正事項４及び５に係る訂正は、明細書中の用語を統一して明瞭とするための、明瞭でない記載の釈明に該当し、実質的に特許請求の範囲を拡張又は変更するものではないし、新規事項の追加にも該当しない。　
　（エ）独立特許要件の判断
　（引用刊行物）
　当審が平成１１年８月１７日付で通知した取消理由で引用した刊行物（特公昭５９−１８８２４号公報）には、
　（ａ）「アンワインダー１１の装着ステーション１３に、感光膜を両面に塗布してコイル状に巻回した被露光体としての帯状体すなわち鉄帯Ｓを装着し、この鉄帯Ｓを本体３１内を通し、・・・本体３１の露光部で停止した鉄帯Ｓの両面にパターンを暁付け、ワインダー２１にて巻取る。」（第２頁第３欄第４１行〜同頁第４欄第８行）
　（ｂ）「前記本体フレーム１の両側における前後部に支台４１が取付けられ、この前後にかける両側の支台４１間にロッド４２が支持され、この前後のロッド４２にベース４３が移動自在に支持され、このベース４３に本体フレーム１に設けたエアシリンダ４４のピストンロッド４５が連結されている。上記ベース４３の中間上部に四角枠状の固定露光枠４６が垂直に立設固定され、この固定露光枠４６にパターンを表示したネガ原板４７が吸着固定されている。」（第２頁第４欄第１２〜２１行）
　（ｃ）「また、上記ベース４３の一側上部に沿って山形状のガイド４８が設けられているとともに、ベース４３の他側上部に沿って平坦なガイド４９が設けられ、上記両側のガイド４８,４９上に両側の移動台５０,５１を介して移動露光枠５２が垂直に立設されて水平方向に移動自在に支持され、この移動露光枠５２にパターンを表示したネガ原板５３が吸着固定されている。」（第２頁第４欄第２１〜２８行）
　（ｄ）「露光部において、ベース上に移動する露光枠を直接移動可能に支持し、ガイド部を面接触として安定させ、位置出し精度、すなわち、再現性については移動作動機構の製作精度そのもので決まるようにして精度を保持することを容易にし、１０００分の５ミリ以下の高精度を再現性をもたせ、高精度のパターンの焼付けを行うことができる。」（第３頁第６欄第１０〜１７行）　
　（ｅ）「ベース４３の中間上部に四角枠状の固定露光枠４６が垂直に立設固定され・・・ベース４３をロッド４２に沿って進退し、ベース４３を所定位置に設定する。そして、露光固定枠４６と移動露光枠５２との間に鉄帯Ｓを通し、鉄帯Ｓが所定量送られて停止すると、その信号により・・・移動露光枠５２を固定露光枠４６側に引き寄せ・・・固定露光枠４６と移動露光枠５２とのネガ原板４７，５３の間に鉄帯Ｓを挟持し」（第２頁第４欄第１８行〜第３頁第５欄第２４行）が記載されている。
　（対比・判断）
　訂正明細書の請求項１に係る発明（以下、「本件請求項１に係る発明」という。）と刊行物に記載された発明とを対比すると、刊行物には、本件請求項１に係る発明を特定するための構成である、第一枠と第二枠を同時に、反対方向に移動させる構成が記載されていない。そして、当該構成により、本件請求項１に係る発明の特許は、明細書記載のように、開閉動作時間を短縮できること、及び、平成１１年１１月１日付特許異議意見書第６頁第４〜１３行に記載のように、刊行物記載のものでは、固定露出枠４６を所定位置に設定した後、鉄帯Ｓを移動させるため、鉄帯Ｓが移動中固定露出枠４６或いはそれに保持している原版に接触する恐れがあり、鉄帯Ｓ表面の感光膜や原版を損傷する恐れがある。なお、鉄帯Ｓが移動時に固定露出枠４６や原版に接触しないようにするには、固定露出枠４６の停止位置を鉄帯Ｓから離れた位置とすればよいが、そのようにすると、移動露光枠５２を閉じて鉄帯Ｓを挟持した時、鉄帯Ｓが移動露光枠５２で曲げられることとなり、あまり好ましいとは言えない。これに対し本件請求項１に係る発明では第一枠、第二枠が共に基材に対して開閉するので、開いた時に基材を支障なく移動させることができるという、作用・効果を奏するものであり、本件請求項１に係る発明は、上記刊行物に記載されたものとも、上記刊行物記載のものから当業者が容易に発明をすることができたものともいえない。
　（オ）むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する第１２６条第２〜４項の規定に適合するので、当該訂正を認める。
（３）特許異議の申立について
　（ア）申立の理由の概要
　申立人株式会社東芝は、証拠として甲第１号証（特公昭５９−１８８２４号公報）を提出し、本件請求項１に係る発明の特許は特許法第２９条第１項の規定に違反してなされたものであるから、本件請求項１に係る発明の特許を取り消すべき旨主張している。
　（イ）甲第１号証記載の発明
　申立人株式会社東芝が提出した甲第１号証は、当審が平成１１年８月１７日付で通知した取消理由で引用した刊行物と同じものであり、上記「（エ）独立特許要件の判断、（引用刊行物）」において示されたとおりの発明が記載されている。
　（ウ）対比・判断
　本件請求項１に係る発明と申立人が提出した甲第１号証記載の発明とを対比すると、上記「（エ）独立特許要件の判断、（対比・判断）」において示されたとおりの理由により、本件請求項１に係る発明は、甲第１号証に記載されたものではない。
　（エ）むすび
　したがって、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年１月２６日（２０００．１．２６）
【訂正の要旨】
　訂正事項１
　明細書の特許請求の範囲の請求項１に係る記載
「感光材料を塗布してなる基材の両面に，絵柄のかかれた原版を密着させその上に光を照射することにより基材に絵柄を露光する露光装置において，
　第一の原版を保持した第一枠と，
　該第一枠を基材に対して直角方向に移動可能に保持する第一スライド機構と，
　第二の原版を保持した第二枠と，
　前記第一枠に保持され，前記第二枠を基材に対して直角方向に移動可能に保持する第二スライド機構を備えたことを特徴とする露光装置における原版開閉装置。」を
「感光材料を塗布してなる基材の両面に，絵柄のかかれた原版を密着させその上に光を照射することにより基材に絵柄を露光する露光装置において，
　第一の原版を保持した第一枠と，
　該第一枠を基材に対して直角方向に移動可能に保持する第一スライド機構であって，平行に配置された２本のレールとそれぞれに係合してスライドする２本のレール従動体を有し，一方のレールとレール従動体は山型と谷型の組み合わせであり，他方のレールとレール従動体は平坦型同志の組み合わせである第一スライド機構と，
　第二の原版を保持した第二枠と，
　前記第一枠に保持され，前記第二枠を基材に対して直角方向に移動可能に保持する第二スライド機構であって，平行に配置された２本のレールとそれぞれに係合してスライドする２本のレール従動体を有し，一方のレールとレール従動体は山型と谷型の組み合わせであり他方のレールとレール従動体は平坦型同志の組み合わせである第二スライド機構を備え，
　前記第一枠と第二枠を同時に，反対方向に移動させてそれぞれに保持している原版を基材にほぼ密着する位置に移動させる構成としたことを特徴とする露光装置における原版開閉装置。」に訂正する。
　訂正事項２
　明細書第４頁第９〜２０行（特許公報第３欄第３３〜４４行）「すなわち，本発明は・・・を要旨とする。」を、
「すなわち，本発明は，感光材料を塗布してなる基材の両面に，絵柄のかかれた原版を密着させその上に光を照射することにより基材に絵柄を露光する露光装置において，
　第一の原版を保持した第一枠と，
　該第一枠を基材に対して直角方向に移動可能に保持する第一スライド機構であって，平行に配置された２本のレールとそれぞれに係合してスライドする２本のレール従動体を有し，一方のレールとレール従動体は山型と谷型の組み合わせであり，他方のレールとレール従動体は平坦型同志の組み合わせである第一スライド機構と，
　第二の原版を保持した第二枠と，
　前記第一枠に保持され，前記第二枠を基材に対して直角方向に移動可能に保持する第二スライド機構であって，平行に配置された２本のレールとそれぞれに係合してスライドする２本のレール従動体を有し，一方のレールとレール従動体は山型と谷型の組み合わせであり，他方のレールとレール従動体は平坦型同志の組み合わせである第ニスライド機構を備え，
　前記第一枠と第二枠を同時に，反対方向に移動させてそれぞれに保持している原版を基材にほぼ密着する位置に移動させる構成としたことを特徴とする露光装置における原版開閉装置を要旨とする。」に訂正する。
　訂正事項３
　明細書第５頁第８〜９行（特許公報第４欄第２〜３行）「減少させることができる。」の後ろに、次の文を加入する。
「また，第一スライド機構及び第二スライド機構の各々で，一方に平坦型のレールとレール従動体の組み合わせを利用しているため，熱膨張等に対する逃げがあり，位置精度向上に効果がある。更に，第一枠と第二枠を同時に，反対方向に移動させる構成としたことで開閉動作時間を短縮できる。」
　訂正事項４
　明細書第６頁第２０行（特許公報第４欄第３２行）「平坦な型」を「平坦型」に訂正する。
　訂正事項５
　明細書第７頁第１行（特許公報第４欄第３２行）「平型」を「平坦型」に訂正する。
（５４）【発明の名称】
　露光装置における原版開閉装置
（５７）【特許請求の範囲】
　感光材料を塗布してなる基材の両面に，絵柄のかかれた原版を密着させその上に光を照射することにより基材に絵柄を露光する露光装置において，
　第一の原版を保持した第一枠と，
　該第一枠を基材に対して直角方向に移動可能に保持する第一スライド機構
であって，平行に配置された２本のレールとそれぞれに係合してスライドする２本のレール従動体を有し，一方のレールとレール従動体は山型と谷型の組み合わせであり，他方のレールとレール従動体は平土日型同志の組み合わせである第一スライド機構と，
　第二の原版を保持した第二枠と，
　前記第一枠に保持され，前記第二枠を基材に対して直角方向に移動可能に保持する第二スライド機構
であって，平行に配置された２本のレールとそれぞれに係合してスライドする２本のレール従動体を有し，一方のレールとレール従動体は山型と谷型の組み合わせであり，他方のレールとレール従動体は平坦型同志の組み合わせである第二スライド機構を備え，
　
前記第一枠と第二枠を同時に，反対方向に移動させてそれぞれに保持している原版を基材にほぼ密着する位置に移動させる構成とした
【発明の詳細な説明】
〔産業上の利用分野〕
　本発明は，ＩＣのリードフレームやカラーＴＶのブラウン管に用いるシャドウマスク等を製作する露光装置において，一対の原版を基材に対して接近させたり離したりするための露光装置における原版開閉装置に関する。
〔従来の技術〕
　例えば，シャドウマスクを製作する露光装置では，絵柄の書かれたガラスの原版を感光材料が塗布された基材に真空又は圧空により密着させ，絵柄を露光するが，露光後は基材を取り出すため或いは原版を交換するためなどの理由により，基材と原版の間に隙間を開ける必要があり，そのため，原版又は基材を開閉させる必要がある。基材の両面にそれぞれ原版を密着させ，原版の絵柄を露光する両面露光装置では両面の原版を開閉させる必要がある。
　基材の両側に配置された原版を開閉させるための従来の原版開閉装置は，第５図，第６図に示すように，両面に感光材料が塗布された基材１の下方に台座２が配置されその上に基材１に対して直角方向にレール３，４が設けられており，このレール３，４に，それぞれ原版５，６を保持した一対の枠７，８がレール従動体９，１０を介してスライド可能に保持されている。また，台座２上には，枠７，８の各々に対応してねじシャフト１１，１２が設けられ，各ねじシャフトは，対応する枠７，８に取付けられた従動体１３，１４に噛み合っている。
　上記構成の従来装置において，各枠７，８に対応したねじシャフト１１，１２をそれぞれモータ（図示せず）で回転させると，その回転に応じて枠７，８がレール３，４上をスライドし，原版５，６が基材１の両側で基材１に接近したり，離れたりして開閉する。
〔発明が解決しようとする課題〕
　しかし，かかる従来の構成では，各原版を保持した枠７，８がそれぞれ，レール従動体９，１０を介してレール３，４に保持されているため，両側の原版を基材に密着させた時の位置が，レールとレール従動体との遊びなどによりずれることが多く，しかも，そのレールとレール従動体との遊びは，基材の両側にそれぞれ生じるため全体としての原版のずれが大きくなってしまう。このため，たびたびどちらか一方の原版の位置を，もう一方の原版に対応する位置に合わせる必要があった。
　本発明はかかる従来技術の問題点に鑑みてなされたもので，基材に対して両側から密着させられる一対の原版の相対的な位置ずれを減少させることの可能な，露光装置の原版開閉装置を提供することを目的とする。
〔課題を解決するための手段〕
　本発明者等は上記の問題点を解決すべく種々検討の結果，基材両側の枠をそれぞれ共通のレールに保持させる代わりに，一方の枠に他方の枠をスライド可能に保持させることによって，上記問題点を解決しうることを見出して本発明を完成したものである。
　すなわち，本発明は，感光材料を塗布してなる基材の両面に，絵柄のかかれた原版を密着させその上に光を照射することにより基材に絵柄を露光する露光装置において，
　第一の原版を保持した第一枠と，
　該第一枠を基材に対して直角方向に移動可能に保持する第一スライド機構
であって，平行に配置された２本のレールとそれぞれに係合してスライドする２本のレール従動体を有し，一方のレールとレール従動体は山型と谷型の組み合わせであり，他方のレールとレール従動体は平坦型同志の組み合わせである第一スライド機構と，
　第二の原版を保持した第二枠と，
　前記第一枠に保持され，前記第二枠を基材に対して直角方向に移動可能に保持する第二スライド機構
であって，平行に配置された２本のレールとそれぞれに係合してスライドする２本のレール従動体を有し，一方のレールとレール従動体は山型と谷型の組み合わせであり，他方のレールとレール従動体は平土日型同志の組み合わせである第二スライド機構を備え
　
前記第一枠と第二枠を同時に，反対方向に移動させてそれぞれに保持している原版を基材にほぼ密着する位置に移動させる構成とした
〔作用〕
　本発明は上述のように，第一の原版を保持した第一枠に対して，第二の原版を保持した第二枠が第二スライド機構を介して保持させるので，第一の原版と第二の原版の相対的な位置精度は，第二スライド機構の精度のみによって定まり，第一枠を保持した第一スライド機構の影響は受けないため，従来に比べて，第一の原版と第二の原版の相対的な位置ずれを約半分に減少させることができる。
また，第一スライド機構及び第二スライド機構の各々で，一方に平坦型のレールとレール従動体の組み合わせを利用しているため，熱膨張等に対する逃げがあり，位置精度向上に効果がある。更に，第一枠と第二枠を同時に，反対方向に移動させる構成としたことで開閉動作時間を短縮できる。
〔実施例〕
　以下，図面に示す実施例を詳細に説明する。
　第１図は本発明の一実施例の概略側面図，第２図はその正面図，第３図は上記実施例に用いる第一スライド機構及び第一枠を駆動する機構を示す平面図，第４図は上記実施例に用いる第二スライド機構及び第二枠を駆動する機構を示す平面図である。同図において，１５は露光されるべき基材であり，両面に感光材料を塗布されている。この基材１５は図示しない手段によって，第１図に図示した位置に供給されるようになっている。１６は基材１５の片側に配置された絵柄のかかれた第一の原版，１７はその原版１６を保持した第一枠である。第一枠１７は下端に水平に延びる支持台１７ａを有している。１８は台座，１９はその台座１８上に設けられ，第一枠を基材に対して直角方向に移動可能に保持する第一スライド機構，２０は基材１５の反対側に配置された絵柄のかかれた第二の原版，２１はその原版２０を保持した第二枠，２２は第一枠に保持され，第二枠２１を基材１５に対して直角方向に移動可能に保持する第二スライド機構である。
　第一スライド機構１９は，第３図に示すように，台座１８に互いに平行に取付けられた２本のレール２４，２５と，これらのレール２４，２５に係合してスライドするレール従動体２６，２７を有しており，レール従動体２６，２７は第一枠１７に取付けられている。２本のレール２４，２５は，位置精度を向上させるためにそれぞれ異なった形状をしている。すなわち，第２図に示すように，一方のレール２４は山型であり，レール２４上をスライドするレール従動体２６はこれに対応した谷型となっている。また，他方のレール２５は
平坦型
平坦型
　台座１８はレール２４，２５に平行なねじシャフト２９とそれを回転駆動するモータ３０を保持しており，一方，第一枠１７はねじシャフト２９に噛み合うねじ従動体３１を保持している。従って，モータ３０によってねじシャフト２９を回転させると，その回転に応じてねじ従動体３１がねじシャフト２９に沿って移動し，第一枠１７が直線運動する。
　第二スライド機構２２は，第４図に示すように，第一枠１７の支持台１７ａに互いに平行に取付けられた２本のレール３４，３５と，これらのレール３４，３５に係合してスライドするレール従動体３６，３７を有しており，レール従動体３６，３７は第二枠２１に取付けられている。ここで使用されるレール３４，３５及びレール従動体３６，３７も第一スライド機構１９のレール２４，２５及びレール従動体２６，２７と同一の構造である。
　更に，第一枠１７の支持部１７ａはレール３４，３５に平行なねじシャフト３９とそれを回転駆動するモータ４０を保持しており，一方，第二枠２１はねじシャフト３９に噛み合うねじ従動体４１を保持している。従って，モータ４０によってねじシャフト３９を回転させると，その回転に応じてねじ従動体４１がねじシャフト３９に沿って移動し，第二枠２１が第一枠１７の支持台１７ａに対して直線運動する。
　ここで，第二枠２１の支持台１７ａに対する移動ストロークは，第一枠１７の台座１８に対する移動ストロークの２倍に設定されている。
　次に，上記構成の原版開閉装置による開閉動作を説明する。今，第１図に示すように，基材１５の両側の原版１６，２０は基材１５から離れた開位置にあるものとする。この状態で，台座１８に設けられたモータ３０が回転してねじシャフト２９を回転させると，ねじ従動体３１がねじシャフト２９に沿って移動し，そのねじ従動体３１に固定されている第一枠１７が第１図の矢印Ａで示す方向に移動する。これによって原版１６が基材１５にほぼ密着する位置に移動する。一方，これと並行して第一枠１７の支持台１７ａ上のモータ４０が回転してねじシャフト３９をねじシャフト２９とは反対方向に回転させる。その回転により，ねじ従動体４１がねじシャフト３９に沿って移動し，そのねじ従動体４１に固定されている第二枠２１が第１図の矢印Ｂで示す方向に移動する。これによって原版２０も基材１５にほぼ密着する位置に移動する。このようにして基材１５の両側の原版１６，２０が閉位置に移動する。また，この逆の動作により，原版１６，２０は第１図に示す開位置に移動する。
　ここで，原版２０を保持した第二枠２１は，原版１６を保持した第一枠１７の一部である支持台１７ａに第二スライド機構２２を介して保持されているので，基材１５の両面に密着させた原版１６，２０間の相対的な位置精度は，第二スライド機構２２の精度のみによって定まり，第一枠１７を保持した第一スライド機構１９の影響は受けない。このため，原版１６，２０間のずれが極めて小さくなっている。
〔発明の効果〕
　以上に説明したように，本発明の原版開閉装置では，第一の原版を保持した第一枠に対して，第二の原版を保持した第二枠が第ニスライド機構を介して保持されているので，第一の原版と第二の原版の相対的な位置精度を高めることができ，一方の原版の枠に対する取付位置の調整を行う必要がなくなるという効果を有している。
【図面の簡単な説明】
　第１図は本発明の一実施例の概略側面図，第２図はその正面図，第３図は上記実施例に用いる第一スライド機構及び第一枠を駆動する機構を示す平面図，第４図は上記実施例に用いる第二スライド機構及び第二枠を駆動する機構を示す平面図，第５図は従来の原版開閉装置の概略側面図，第６図はその正面図である。
　１５…基材，１６…原版，１７…第一枠，１７ａ…支持台，１８…台座，１９…第一スライド機構，２０…原版，２１…第二枠，２２…第二スライド機構。